【手続補正書】
【提出日】平成17年4月22日(2005.4.22)
【手続補正１】
【補正対象書類名】明細書
【補正対象項目名】特許請求の範囲
【補正方法】変更
【補正の内容】
【特許請求の範囲】
【請求項１】
送信すべき画像情報を設定されている符号化方式にて圧縮符号化し、設定されているファイル形式で通信網を介して接続する複数の受信装置へ送信する送信装置において、
前記複数の受信装置に関する情報の設定を夫々受け付ける設定手段と、
受け付けた情報を記憶する記憶手段と、
複数の受信装置へ画像情報を送信する場合に、
送信先となる複数の受信装置について記憶されている夫々の情報に基づく符号化方式の中で、最も圧縮率が低い符号化方式を選択する制御手段と、
選択した符号化方式に基づいて、画像情報を圧縮符号化する手段と、
圧縮符号化した画像情報を、設定されているファイル形式で、送信先となる全ての受信装置へ送信する送信手段と
を備えることを特徴とする送信装置。
【請求項２】
送信すべき画像情報を設定されている符号化方式にて圧縮符号化し、設定されているファイル形式で通信網を介して接続する複数の受信装置へ送信する送信装置において、
前記複数の受信装置について、圧縮率に関連付けられる情報を夫々受け付ける設定手段と、
受け付けた情報を、複数の受信装置の夫々について記憶する記憶手段と、
複数の受信装置へ画像情報を送信する場合に、
送信先となる複数の受信装置について記憶されている夫々の情報の中から、関連付けられる圧縮率が最も低い符号化方式を選択する制御手段と、
選択された符号化方式に基づいて、画像情報を圧縮符号化する手段と、
圧縮符号化した画像情報を、設定されているファイル形式で、送信先となる全ての受信装置へ送信する送信手段と
を備えることを特徴とする送信装置。
【請求項３】
送信すべき画像情報を設定されている符号化方式にて圧縮符号化し、設定されているファイル形式で通信網を介して接続する複数の受信装置へ送信する送信装置において、
前記複数の受信装置に関する情報の設定を夫々受け付ける設定手段と、
受け付けた情報を記憶する記憶手段と、
複数の受信装置へ画像情報を送信する場合に、
送信先となる複数の受信装置について記憶されている夫々の情報に基づく符号化方式の中で、最も圧縮率が低い符号化方式があれば、その符号化方式を選択する制御手段と、
選択した符号化方式に基づいて、画像情報を圧縮符号化する手段と、
圧縮符号化した画像情報を、設定されているファイル形式で、送信先となる全ての受信装置へ送信する送信手段と
を備えることを特徴とする送信装置。
【請求項４】
前記設定されているファイル形式は、ＰＤＦ又はＴＩＦＦであることを特徴とする請求項１乃至請求項３のいずれかひとつに記載の送信装置。
【請求項５】
前記送信手段は、電子メールにより、複数の受信装置へ画像情報を同報送信すべくなしてあることを特徴とする請求項１乃至請求項４のいずれかひとつに記載の送信装置。
【請求項６】
前記送信手段は、パーソナルコンピュータである受信装置へ送信すべくなしてあることを特徴とする請求項１乃至請求項５のいずれかひとつに記載の送信装置。
【請求項７】
前記送信手段は、ネットワークファクシミリ装置である受信装置へ送信すべくなしてあることを特徴とする請求項１乃至請求項６のいずれかひとつに記載の送信装置。
【請求項８】
送信すべき情報を符号化し、符号化した情報を通信網を介して接続する複数の受信装置へ送信する送信装置において、
前記複数の受信装置の夫々に対する符号化の方式を受け付ける手段と、
受け付けた夫々の符号化の方式の中から、所定条件に基づく方式を選択する選択手段と、
選択された符号化の方式に基づいて、情報を符号化する手段と、
符号化した情報を記録する手段と、
記録した情報を前記受信装置へ送信する送信手段と
を備えることを特徴とする送信装置。
【請求項９】
前記送信先となる受信装置に対する符号化の方式に基づいて、記録した情報の符号化の方式の変換の要否を判断する手段と、
変換要と判断した場合に、符号化の方式を変換する手段と
を備え、
前記送信手段は、符号化の方式を変換した情報を送信すべくなしてある
ことを特徴とする請求項８に記載の送信装置。
【請求項１０】
前記符号化は情報の圧縮であることを特徴とする請求項８又は請求項９に記載の送信装置。
【請求項１１】
前記選択手段は、受け付けた夫々の符号化の方式の中から、所定条件に基づく方式として、圧縮率がより高い符号化の方式を選択すべくなしてあることを特徴とする請求項９又は請求項１０に記載の送信装置。
【請求項１２】
前記選択手段は、受け付けた夫々の符号化の方式の中から、所定条件に基づく方式として、より多く受け付けた符号化の方式を選択すべくなしてあることを特徴とする請求項９又は請求項１０に記載の送信装置。
【請求項１３】
前記選択手段は、受け付けた夫々の符号化の方式の中から、所定条件に基づく方式として、圧縮率がより低い符号化の方式を選択すべくなしてあることを特徴とする請求項８乃至請求項１０のいずれかひとつに記載の送信装置。
【請求項１４】
前記選択手段は、所定条件に基づく方式として、予め設定されている一の符号化の方式を選択すべくなしてあることを特徴とする請求項８乃至請求項１０のいずれかひとつに記載の送信装置。
【請求項１５】
前記情報は、画像情報であることを特徴とする請求項８乃至請求項１４のいずれかひとつに記載の送信装置。
【請求項１６】
前記選択手段は、データ通信網を介して接続する前記受信装置に対して受け付けた符号化の方式に基づいて選択すべくなしてあることを特徴とする請求項８乃至請求項１５のいずれかひとつに記載の送信装置。
【手続補正２】
【補正対象書類名】明細書
【補正対象項目名】００１０
【補正方法】変更
【補正の内容】
【００１０】
【課題を解決するための手段】
本発明に係る送信装置は、送信すべき画像情報を設定されている符号化方式にて圧縮符号化し、設定されているファイル形式で通信網を介して接続する複数の受信装置へ送信する送信装置において、前記複数の受信装置に関する情報の設定を夫々受け付ける設定手段と、受け付けた情報を記憶する記憶手段と、複数の受信装置へ画像情報を送信する場合に、送信先となる複数の受信装置について記憶されている夫々の情報に基づく符号化方式の中で、最も圧縮率が低い符号化方式を選択する制御手段と、選択した符号化方式に基づいて、画像情報を圧縮符号化する手段と、圧縮符号化した画像情報を、設定されているファイル形式で、送信先となる全ての受信装置へ送信する送信手段とを備えることを特徴とする。
本発明に係る送信装置は、送信すべき画像情報を設定されている符号化方式にて圧縮符号化し、設定されているファイル形式で通信網を介して接続する複数の受信装置へ送信する送信装置において、前記複数の受信装置について、圧縮率に関連付けられる情報を夫々受け付ける設定手段と、受け付けた情報を、複数の受信装置の夫々について記憶する記憶手段と、複数の受信装置へ画像情報を送信する場合に、送信先となる複数の受信装置について記憶されている夫々の情報の中から、関連付けられる圧縮率が最も低い符号化方式を選択する制御手段と、選択された符号化方式に基づいて、画像情報を圧縮符号化する手段と、圧縮符号化した画像情報を、設定されているファイル形式で、送信先となる全ての受信装置へ送信する送信手段とを備えることを特徴とする。
本発明に係る送信装置は、送信すべき画像情報を設定されている符号化方式にて圧縮符号化し、設定されているファイル形式で通信網を介して接続する複数の受信装置へ送信する送信装置において、前記複数の受信装置に関する情報の設定を夫々受け付ける設定手段と、受け付けた情報を記憶する記憶手段と、複数の受信装置へ画像情報を送信する場合に、送信先となる複数の受信装置について記憶されている夫々の情報に基づく符号化方式の中で、最も圧縮率が低い符号化方式があれば、その符号化方式を選択する制御手段と、選択した符号化方式に基づいて、画像情報を圧縮符号化する手段と、圧縮符号化した画像情報を、設定されているファイル形式で、送信先となる全ての受信装置へ送信する送信手段とを備えることを特徴とする。
本発明に係る送信装置は、前記設定されているファイル形式は、ＰＤＦ又はＴＩＦＦであることを特徴とする。
本発明に係る送信装置は、前記送信手段は、電子メールにより、複数の受信装置へ画像情報を同報送信すべくなしてあることを特徴とする。
本発明に係る送信装置は、前記送信手段は、パーソナルコンピュータである受信装置へ送信すべくなしてあることを特徴とする。
本発明に係る送信装置は、前記送信手段は、ネットワークファクシミリ装置である受信装置へ送信すべくなしてあることを特徴とする。
本発明に係る送信装置は、送信すべき情報を符号化し、符号化した情報を通信網を介して接続する複数の受信装置へ送信する送信装置において、前記複数の受信装置の夫々に対する符号化の方式を受け付ける手段と、受け付けた夫々の符号化の方式の中から、所定条件に基づく方式を選択する選択手段と、選択された符号化の方式に基づいて、情報を符号化する手段と、符号化した情報を記録する手段と、記録した情報を前記受信装置へ送信する送信手段とを備えることを特徴とする。